(57)【要約】【課題】撮影姿勢が取りやすく、かつ収納性も良好な携帯電話を提供する。【解決手段】折りたたんだ状態で隠蔽される前記第１の筐体１００と第２の筐体２００の内側面１０１、２０２に、テンキー２０３と機能キー２０４とから構成される操作部２０５と、主表示部１０２とを分けて配置し、前記内側面１０１、２０２と対向する外側面１０３、２０６にサブ表示部２０１とカメラ部１０４を分けて設け、折りたたんだ状態で露出する外側面に撮影スイッチ１０７と、通話状態とカメラ撮影状態を切り替える切り替えスイッチ２０８を備え、前記サブ表示部２０１は、前記通話状態においては通話時の状態表示を表示し、カメラ撮影状態にあっては前記カメラ部１０４で撮影された画像を表示させる。【選択図】　図１
2004112559.tif 000002
【特許請求の範囲】
【請求項１】
操作スイッチを備えた第１の筐体と、主表示部を備えた第２の筐体と、前記第１筐体と前記第２の筐体の長手方向の一端を折りたたみ可能に連結する連結部とから構成される携帯電話において、
折りたたんだ状態で隠蔽される前記第１の筐体と第２の筐体の内側面に、テンキーと機能キーとから構成される操作部と、主表示部とを分けて配置し、
前記内側面と対向する外側面にサブ表示部とカメラ部を分けて設け、
折りたたんだ状態で露出する外側面に撮影スイッチと、通話状態とカメラ撮影状態を切り替える切り替えスイッチを備え、
前記サブ表示部は、前記通話状態においては通話時の状態表示を表示し、カメラ撮影状態にあっては前記カメラ部で撮影された画像を表示することを特徴とする携帯電話。
【請求項２】
主表示部を備えた第１の筐体と、操作スイッチを備えた第２の筐体と、前記第１筐体と前記第２の筐体の長手方向の一端を折りたたみ可能に連結する連結部とから構成される携帯電話において、
前記第１の筐体は、折りたたんだ状態で隠蔽される内側面に主表示部を備え、この内側面と対向する外側面にカメラ部を備え、
前記第２の筐体は、折りたたんだ状態で隠蔽される内側面にテンキーと機能キーとから構成される操作部を備え、この内側面と対向する外側面にサブ表示部を備え、
前記第１の筐体と第２の筐体を折りたたんだ状態で露出する外表面に、撮影スイッチと、通話状態とカメラ撮影状態を切り替える切り替えスイッチが配置され、
前記サブ表示部は、前記長手方向を左右方向とするする姿勢で正視可能に表示されると共に、前記通話状態においては通話時の状態表示を表示し、カメラ撮影状態にあっては前記カメラ部で撮影された画像を表示する
ことを特徴とする携帯電話。
【請求項３】
主表示部を備えた第１の筐体と、操作スイッチを備えた第２の筐体と、前記第１筐体と前記第２の筐体の長手方向の一端を折りたたみ可能に連結する連結部とから構成される携帯電話において、
前記第１の筐体は、折りたたんだ状態で隠蔽される内側面に主表示部を備え、この内側面と対向する外側面にサブ表示部を備え、
前記第２の筐体は、折りたたんだ状態で隠蔽される内側面にテンキーと機能キーとから構成される操作部を備え、この内側面と対向する外側面にカメラ部を備え、
前記第１の筐体と第２の筐体を折りたたんだ状態で露出する外表面に、撮影スイッチと、通話状態とカメラ撮影状態を切り替える切り替えスイッチが配置され、
前記サブ表示部は、前記長手方向を左右方向とするする姿勢で正視可能に表示されると共に、前記通話状態においては通話時の状態表示を表示し、カメラ撮影状態にあっては前記カメラ部で撮影された画像を表示する
ことを特徴とする携帯電話。
【請求項４】
前記請求項１から３記載の何れかの携帯電話において、前記撮影スイッチは、第１の筐体または第２の筐体の長辺部の片側に配置され、前記サブ表示部は、前記長辺部の上面となる姿勢で正視可能に表示されることを特徴とする携帯電話。
【発明の詳細な説明】
【０００１】
【発明の属する技術分野】
本発明は、カメラ機能を備えた２つ折れ携帯電話に係り、特に、撮影画像を確認しながら撮影できる携帯電話に関するものである。
【０００２】
【従来の技術】
近年の携帯電話は、２つの筐体を連結部を介して折りたたみ可能に構成した「折りたたみ携帯電話」が主流となっている。一方、これら携帯電話ではカメラ機能を備えて、撮影した画像を通信機能で転送可能としたものが脚光をあびている。
【０００３】
これらのカメラ機能を備えた携帯電話は、２つ折れの携帯電話にあっては、外表面あるいは連結部にカメラ部を備え、開いた状態で露出する主表示部にカメラ部で撮影した内容を確認しながら撮影するものがある（公知文献１参照）。一方、棒状の携帯電話にあっては、背面にカメラ部を備えて、携帯電話の長手方向を左右にする姿勢で正面に設けた主表示部に撮影画像を表示させながら撮影できるものが実施されている。
【０００４】
【公知文献１】特開２０００−２５３１２４号
【発明が解決しようとする課題】
前記公知文献１記載の携帯電話は、２つ折れ筐体を開いた状態で撮影するため、撮影する際に、収納状態から表示部を開いた状態にしなければならない。また、一般のカメラは、長手方向の両側を両手で保持する撮影姿勢をとるのが一般的であるが、この種の２つ折れ携帯電話は長手方向を上下にして、その下側の筐体を片手で保持する撮影姿勢が一般的である。したがって、撮影姿勢では片手で保持することとなるので手ブレの課題がある。
【０００５】
一方、前記公知文献２の従来例では、一般的なカメラ姿勢で撮影できるので、手ブレなどを軽減することができる。しかしながら、常に表示部や操作スイッチ類が露出した状態であるために、撮影状態では操作性に課題があり、また収納性にも課題がある。
【０００６】
そこで、この発明の目的とするところは、撮影姿勢が取りやすく、かつ収納性も良好な携帯電話を提供することにある。
【０００７】
【課題を解決するための手段】
本発明の携帯電話は、前記目的を達成するために、主表示部を備えた第１の筐体と、操作スイッチを備えた第２の筐体と、前記第１筐体と前記第２の筐体の長手方向の一端を折りたたみ可能に連結する連結部とから構成される携帯電話において、折りたたんだ状態で隠蔽される前記第１の筐体と第２の筐体の内側面に、テンキーとフアンクションキーとから構成される操作部と、主表示部とを分けて配置し、前記内側面と対向する外側面にサブ表示部とカメラ部を分けて設け、折りたたんだ状態で露出する外側面に撮影スイッチと、通話状態とカメラ撮影状態を切り替える切り替えスイッチを備え、前記サブ表示部は、前記通話状態においては通話時の状態表示を表示し、カメラ撮影状態にあっては前記カメラ部で撮影された画像を表示するようにする。
【０００８】
【発明の実施の形態】
以下、本発明に係る携帯電話の実施の形態を図１から図６を参照して詳細に説明する。図１は、本発明に係る携帯電話の概略構造を示す外観図で、（ａ）図は開いた状態の正面図、（ｂ）図は、第１の筐体を閉じた状態の正面図、（ｃ）図は、第２の筐体の背面図である。図２は、装置ブロック図である。図３は第１の筐体を開いた状態の断面図である。図４は第１の筐体を折りたたんだ状態の外観図である。図５は第１の筐体を開いた状態の外観図で、（ａ）図が正面図、（ｂ）図が右側面図である。図６は撮影時の使用状態図で、（ａ）図が撮影側からみた状態図、（ｂ）図は使用者側から見た状態図である。
【０００９】
先ず、図１を参照して、本発明に係る携帯電話の概略構造を説明する。図１において、符号１で総括的に示すのは、カメラ機能を備えた携帯電話である。この携帯電話１は、主に表示機能を備えた第１の筐体１００と、主に制御機能や操作機能及びバッテリーを備えた第２の筐体２００と、前記２つの筐体を折りたたみ可能に連結する連結部３００とを含んで構成される。前記第１及び第２の筐体は偏平な外観形状を備え、前記２つの筐体を折りたたんだ状態で互いにほぼ重なる大きさを備えている。また、前記２つの筐体は、互いの筐体の長手方向の一端を前記連結部３００を介して連結することで、２つの筐体を開いた状態では細長い形態をとって通話姿勢（以下第１の状態という）に良好な形態となり、２つの筐体を閉じた状態では、収納姿勢に好適なコンパクトな外観形状としている。また、この折りたたんだ状態では、図６に示すように、撮影した画像をサブ表示部２０１で確認しながら撮影できる、撮影に好適な撮影横姿勢（以下第２の状態という）をとることができる。
【００１０】
即ち、この携帯電話１においては、前記第１の筐体１００は、折りたたんだ状態で隠蔽される内側面１０１に主表示部１０２を備え、この内側面１０１と対向する外側面１０３にカメラ部１０４とフラッシュ１０５を備えている。前記第１の筐体２００は、折りたたんだ状態で隠蔽される内側面２０２にテンキー２０３と機能キー２０４とから構成される操作部２０５を備え、この内側面２０２と対向する外側面２０６に前記サブ表示部２０１を備えている。そして、前記２つの内側面の前記連結部３００と対向する長手方向の端部側には、スピーカ部１０６とマイク部２０７を備えている。また、前記第１の筐体１００の前記連結部３００側の左側面には撮影スイッチ１０７が配置され、第２の筐体２００の前記連結部３００と対向する側の左側面には通話状態とカメラ撮影状態を切り替えるモード切替スイッチ２０８が配置される。更に、前記第１の筐体１００の前記連結部３００側の右側面にはサブスピーカ部１０８が配置され、前記第２の筐体２００の前記連結部３００と対向する側の右側面には第１の筐体１００を開放する開放スイッチ２０９が配置される。
【００１１】
この実施の形態によれば、前記第１の状態では、前記筐体の長手方向の両端側に前記スピーカ部１０６とマイク部２０７が配置されるので、このスピーカ部１０６とマイク部２０７が使用者の耳と口の長さに合った良好な通話姿勢を得ることができる。一方、第２の状態では、前記撮影スイッチ１０７が上面となるように、この携帯電話１の長手方向を左右方向とするする横姿勢を取ることができる。この第２の状態では、撮影者側に前記サブ表示部２０１が配置され、対向する外側面に前記カメラ部１０４が配置されるから、カメラ部１０４で撮影した内容を前記サブ表示部２０１で確認しながら撮影することができる。しかも、この第２の状態では、長手方向の両側を両手で保持しながら前記撮影スイッチ１０７を操作できるので、通常の横姿勢のカメラと同様な撮影姿勢で撮影できるから、手ブレを起こし難く、かつ違和感なく撮影を行うことができる。
【００１２】
更に、前記サブ表示部２０１は、前記横姿勢の第２の状態で正視可能に表示されると共に、前記通話状態においては通話時の状態表示を表示し、カメラ撮影状態にあっては前記カメラ部で撮影された画像を表示することができる。また、この実施の形態では、前記第１の状態においてもカメラ撮影が可能である。この場合、図２に示す制御部１０が第１の状態を前記連結部３００に配置される内部切替スイッチの信号により開放状態であると判断すると、前記カメラ部１０４で撮影された画像を９０度回転させて前記主表示部１０２に表示させる。
【００１３】
このように、この実施の形態では、前記第１の状態では、第２の筐体２００を片手で保持しながら、前記撮影スイッチ１０７を操作して撮影することができ、更に、前記第２の状態では、この携帯電話１を横姿勢にして、筐体の両端を両手で保持しながら撮影できる。しかも、前記２つの撮影姿勢では、主表示部１０２またはサブ表示部２０１に撮影した画像を表示し、これを確認しながら撮影することができる。
【００１４】
以下、図２から図６を参照して、この実施の形態にかかる携帯電話１を更に詳細に説明する。
【００１５】
先ず、図２を参照して、この携帯電話１の装置構成を説明する。図２において、この携帯電話１を統括的に制御する制御部１０にはバスを介して各種装置やスイッチ類が接続される。
【００１６】
前記内部切替スイッチ２１は前記連結部３００に設けられて、第１の筐体１００の開閉動作に対応して信号を発信する。メモリ１１は各種プログラムやデータを格納し、前記制御部１０が前記プログラムにしたがってこの携帯電話１を制御する。高周波回路部１２は通信装置となるものであり、内部アンテナ１３が接続される。バッテリー１５は、この携帯電話１に電源を供給する。前記カメラ部１０４はカメラ回路部１６を介してバスに接続される。
【００１７】
駆動回路部１７には、着信時に振動を発生させる振動部１８と、メールや通話の着信あるいはアラームなどを光で知らせる前記状態ランプ部２１０が接続されており、前記制御部１０からの制御に基づいて、これらの動作量と動作パターンが制御される。また、音声回路部１９は、前記主スピーカ部１０６と、前記マイク部２０７と、前記サブスピーカ部１０８が接続されている。
【００１８】
更に、この実施の形態では、前記操作部２０５と撮影スイッチ１０７とモード切替スイッチ２０８などが設けられて、これらの操作スイッチ類により、利用者がこの携帯電話１を操作することができる。この実施の形態では、前記モード切替スイッチ２０８を備えることによって、１つのサブ表示部２０１を電話モードとカメラ機能（静止画モードと動画モード）モードに切り替えて使用することができるので、部品点数の増加を軽減して経済的である。加えて、この実施の形態では、外部接続部２０が設けてあり、コードを介して外部のパーソナルコンピュータなどと接続して、通信やデータ交換を行なうことができる。
【００１９】
次に、図３を参照して、装置の内部レイアウトを説明する。図３において、この実施の形態では、第１の筐体１００を樹脂材料で形成される内面カバーと外面カバーとで構成し、その内部に図示しないメインシャーシーに取り付けられる主表示部１０２とサブ基板３１とが並設されている。前記サブ基板３１には、開口部が形成され、この開口部に前記カメラ部１０４が配置されることによって、第１の筐体１００の厚さを小さくしている。更に、このサブ基板３１の両側には前記撮影スイッチ１０７とサブスピーカ部１０８が分散して配置されるので、結線が省略されるとともに、薄い筐体に大きな操作ボタンを配置することができる。加えて、このサブ基板３１には、前記フラッシュ１０５と主スピーカ部１０６が取り付けられ、更に主表示部１０２や操作スイッチ類の関連制御装置が配置され、前記連結部３００を介して、前記第２の筐体２００のメイン基板４０とコードで連結される。更に、前記メインシャーシには、前記連結部３００を構成する図示しない連結機構部が取り付けられ、この連結機構部を介して前記第２の筐体に取り付けられる。
【００２０】
一方、前記第２の筐体２００は、樹脂材料で形成される内面カバーと外面カバーとで構成され、その内部に操作基板４１と複数の基板から構成されるメイン基板４０と薄いバッテリー１５が並設されている。前記操作基板４１は、前記内面カバーに形成される複数の開口部から突起を露出するように設けられるキーシート４２と隣接して配置され、この突起を押下することで、前記操作基板４１の表面に設けた接点を接触させて各種の操作を行うことができる。
【００２１】
また、この実施の形態では、前記メイン基板４０を前後に配置し、この間にバッテリー１５を配置している。このバッテリー１５は、カード形状を備えた薄型のものを採用し、第２の筐体２００の外側面２０６に、設けた挿入口２１１を介して着脱することができる。そして、前方のメイン基板４０には、前記操作系の回路を主体に配置し、後方のメイン基板４０には、開口部が形成され、この開口部に前記サブ表示部２０１を取り付けることにより薄型化を実現している。更に、このメイン基板４０には前記制御部１０や高周波回路部１２や状態ランプ部２１０などが取り付けられる。加えて、このメイン基板４０または前記操作基板４１の両側には、前記モード切替スイッチ２０８と開放スイッチ２０９及び外部接続端子２０が分散して設けられる。これにより、狭い筐体を利用して大きな操作ボタンおよび接続しやすい外部接続端子２０を配置することができる。
【００２２】
次に、図４、図５を参照して、携帯電話１の外観構造を説明する。先ず、この実施の形態では、携帯電話１の外観を、側面からみて上下に長い長楕円形状とし、この長楕円形状を斜めに分割して、一方を第１の筐体１００とし、他方を第２の筐体２００としている。
この造形によれば、第１の筐体１００は、連結部３００側が太く、これと対向する端部側がクサビ状にとがった形状を基調とすることができ、第２の筐体２００は、これとは逆に連結部３００と対向する端部側がが太く、前記連結部３００側がクサビ状にとがった形状を基調とすることができる。これにより、両側面の両側（上下）に広いスペースを確保して、前記撮影スイッチ１０７とサブスピーカ部１０８とモード切替スイッチ２０８と開放スイッチ２０９の操作性の良い大きなボタンを配置することができる。
【００２３】
しかし、前記造形は、内部装置類の配置空間を確保することは困難である。そこで、この実施の形態では、内側面１０１と内側面２０２の表面形状に大きな曲面を採用することで、２つの各筐体がほぼ均一な厚さになるような造形処理を施している。即ち、この実施の形態では、両側の太い部分から内側に行くにしたがって所定の厚さに近づくように厚さが小さくなり、両側が細い部分にあっては内側に行くにしたがって所定の厚さに近づくように厚さが大きくなるようにしている。これにより、両側の特徴的なクサビ形状を維持したまま、所定の厚さを備えた実装効率が良好な内部装置収納空間を確保している。
【００２４】
図４において、この実施の形態では、第２の状態で、この携帯電話１を横姿勢で撮影することができる。図４はこの横姿勢の携帯電話の外観図を示している。（ｃ）図は、被写体側からみた正面図、（ａ）図は平面図、（ｂ）図は左側面図、（ｄ）図は右側面図、（ｅ）図は底面図、（ｆ）図は背面図を示している。
【００２５】
（ａ）図に示すように、この実施の形態では、この第２の状態（横姿勢）とすることで、上面に撮影スイッチ１０７とモード切替スイッチ２０８が配置される。このため、両手で長手方向の両側を保持した場合（図６の状態）では、両手の人差し指で前記２つのスイッチを操作することができる。
【００２６】
（ｃ）図において、第１の筐体２００の左右方向の中心位置にはフラッシュ１０５が設けてあり、前記連結部３００側にカメラ部が片寄って設けてある。これにともなって、（ｆ）図に示すように、サブ表示部２０１は、前記カメラ部１０４の後方位置に片寄って設けている。これにより、カメラ部１０４の光軸の延長線上に前記サブ表示部２１０が配置されるからカメラ部１０４を撮影対象物に合わせやすくすることができる。また、カメラ部１０４を前記連結部３００側に片よらせて設けることで、カメラ部１０４が第１の状態で携帯電話１を保持する片手側に位置するので手ブレを軽減することができる。また、カメラ部を前記連結部３００側の厚い部分に設けることで実相効率の向上とコンパクト化を図ることができる。
【００２７】
この実施の形態では、電源がＯＮ状態においては、通話モードが初期設定される。したがって、第２の状態では、サブ表示画面２０１に通信状態や着信状況が表示される。この状態から、前記モード切替スイッチ２０８を操作することにより、静止画モードまたは動画モードに切り替えることができる。この切り替え操作がなされると、前記制御部１０は、前記カメラ部１０４をＯＮ状態として、内部切替スイッチ２１を参照して、第２の状態であれば、撮影画像を前記サブ表示部２０１に表示させる。前記静止画モードであれば、前記撮影スイッチ１０７を操作することで、静止画像を記録すると共に、撮影した静止画を所定時間表示して、再び、前記カメラ部１０４で撮影した画像を表示する。一方、前記動画モードであれば、前記撮影スイッチ１０７を操作することで、撮影を開始し、再度、前記撮影スイッチ１０７を操作することで、撮影を停止させることができる。なお、撮影中は、撮影中の表示がサブ表示部２０１に表示される。
【００２８】
なお、（ｅ）図において、前記外部接続端子２０は、その表面を開閉蓋で覆われている。また、（ｃ）図において、右側に張り出して設けているのは、ストラップ取付部２１２である。このストラップ取付部２１２に設けた開口部にストラップを取り付けることができる。
【００２９】
この第２の状態から前記第１の筐体２００を開くことで、この携帯電話１を図５に示す第１の状態にすることができる。この第１の状態では、第２の状態で隠蔽されていた主表示部１０２と操作部２０５を露出させることができる。前記操作部２０５を構成する機能キー２０４は、中央に配置される決定キー２２０と、その周囲に配置されるカーソル移動キー２２１と、このカーソル移動キー２２１の周囲に配置される複数の選択キー２２２とから構成される。前記カーソル移動キー２２１は、リング状の操作面を備え、この操作面を８方向に傾けることにより、前記主表示部１０２に表示されるカーソル（選択位置）を傾けた方向に移動させることができる。このカーソルによって選択されたメニューは前記決定キー２２０によって実行させることができる。
【００３０】
一方、前記選択キー２２２は、メールキー２２２ａ、インターネットキー２２２ｂと、一対のソフトキー２２２ｃ、２２２ｄとから構成される。前記一対のソフトキー２２２ｃ，２２２ｄは通常は、メールとインターネットの選択ボタンであるが、特定の機能が選択された場合は、前記決定キー２２０とともに主表示部１０２に表示される表示画面の下部に表示される３つのスイッチに対応した操作を行うことができる。
【００３１】
前記テンキー２０３は、上段に配置されるサブ機能キー２２３と、その下方に配置される数値キー／文字キー２２４とから構成される。更に、前記機能キー２２３は電源キー２２３ａとクリアキー２２３ｂと発信キー２２３ｃとで構成される。
【００３２】
この実施の形態では、前記操作部２２５を操作することで、各種の操作や通話を行うことができる。例えば、前記機能キー２０４を操作することで、前記主表示部１０２にメニュー画面を表示し、このメニュー画面から特定の機能を選択することで、これら機能の実行や各種設定を行うことができる。もちろん、前記メニュー画面からカメラ撮影機能を選択することができる。
【００３３】
しかし、この実施の形態では、モード切替スイッチ２０８でも、静止画モードと動画モードを簡単に切り替えることができる。この実施の形態では、初期設定において通話モードに設定されている。したがって、この通話モードからモード切替スイッチ２０８が操作されると、前記制御部１０は、前記カメラ部１０４を電源ＯＮ状態として、前記内部切替スイッチ２１を参照して、第１の状態であれば、撮影画像を前記主表示部１０２に９０度回転させて表示するので、第１の状態においても、カメラ機能を使用することができる。これらのカメラ機能を使う場合は、主表示部１０２の表示画面下部に表示される機能キーの選択により、即ち、一対のソフトキー２２２ｃ、２２２ｄと決定キー２２０で選択される。例えば、決定キー２２０を撮影キーに割り当てることができる。
【００３４】
次に、図１及び図６を参照して、この実施の形態に係る携帯電話１の動作方法や使用方法を説明する。先ず、この実施の形態では、前記電源キー２０３を操作することで、携帯電話１を電源ＯＮ状態とすることができる。この電源ＯＮ状態では、初期設定として、通話モードが設定されているので、この電源ＯＮ状態では、着信待機状態となる。
【００３５】
先ず、第２の状態では、前記制御部１０が、前記内部切替スイッチ２１を参照して、前記主表示部１０２をＯＦＦ状態とし、前記サブ表示部２０１をＯＮ状態とする。そして、このサブ表示部２０１を通話モードとして着信待機状態とする。この状態で、メールや通話の着信があると、前記制御部１０は、前記サブスピーカ部１０８から予め設定された着信音を発音させるとともに前記状態ランプ部２１０を発光させ、前記サブスピーカ部２０１に着信通知を表示する。この状態で、第１の筐体１００を開いて第１の状態とすると、前記制御部１０は、前記内部切替スイッチ２１でこれを知り、前記サブ表示部２０１をＯＦＦ状態として、前記主表示部１０２をＯＮ状態とすると共に、着信があったことを示す表示を行う。この状態で、前記発信キー２２３ｃを操作することで、通話を受けることができる。また、メールであれば、前記機能キー２０４を操作することで、前記主表示部１０２にメールの内容を表示させることができる。
【００３６】
また、この実施の形態では、前記サブ表示部２０１を前記第２の筐体２００に設けている。即ち、前記第２の筐体２００の対向する面にサブ表示部２０１と、操作部２０５を設けている。一般に、これら２つ折れの携帯電話は、第２の状態においては、前記サブ表示部２０１を上に向けてテーブルなどにおかれる。この状態で、着信があると、使用者は、前記第２の筐体２００を保持することとなる。この保持した姿勢から、第１の筐体１００を他の片手で開くことができるので、使用者は、保持した携帯電話１を持ち替えることなく通話することができる。つまり、サブ表示部２０１を第１の筐体１００に設けると、使用者は、一端、第１の筐体を保持して、これを第２の筐体に持ち替えて第１の筐体１００を開く動作となるので、操作する工程が多くなる。この点、この実施の形態では、持ち替える動作をなくすことができる。しかも、この実施の形態では、前記カメラ部１０４が配置される外側面１０３が曲面で形成されているので、テーブルなどに置かれた場合、周囲に隙間があるので、簡単に片手で保持することができる。
【００３７】
さて、この実施の形態では、前記第２の状態で、前記モード切替スイッチ２０８を操作することで、カメラ機能を使うことができる。この第２の状態では、図６に示すように、長手方向の両端を両手で保持することができる。この状態で、右手の人差し指で前記モード切替スイッチ２０８を操作して静止画モードまたは動画モードに簡単に切り替えることができる。そして、右手の人差し指で撮影スイッチ１０７を操作することで、静止画像を撮影したり、動画像の撮影開始や停止を行うことができる。この両手で保持する撮影姿勢であれば、撮影時の手ブレを軽減することができる。
【００３８】
また、この第２の状態での撮影は、（ｂ）図で示すように、撮影する内容を撮影者がサブ表示部２０１で確認しながら行えるので、撮影ミスをおくしにくくなる。更に、この実施の形態ではフラッシュ１０５を備えている。このフラッシュ１０５は、ＬＥＤ光源などで構成され、静止画モードでは、撮影スイッチ１０７を操作した際に発光させ、動画モードでは、撮影中に発光させることができる。
【００３９】
また、この実施の形態では、前記第２の状態における横姿勢での撮影を主体としているが、第１の状態でもカメラ機能を使うことができる。この第１の状態でも、前記モード切替スイッチ２０８を操作することで、静止画モードまたは動画モードに切り替えることができる。この第２の状態では、第２の筐体を片手で保持して主表示部１０２の対向面に配置されるカメラ部１０４を介して静止画または動画を撮影することができる。この実施の形態では、撮影スイッチ１０７の操作で撮影することもできるが、前記ソフトキー２２２ｃ、２２２ｄまたは決定キー２２０の何れかに撮影キーの機能を設定することができる。この設定は、前記メニュー画面の下位階層である設定画面で設定することができる。これにより、撮影者は、第２の筐体２００を保持する片手の親指で操作できる。
【００４０】
なお、上記実施の形態では、第２の筐体２００の対向する筐体面に操作部２０５とサブ表示部２０１を配置したが、これに限定されものではない。例えば、前記第１の筐体は、折りたたんだ状態で隠蔽される内側面１０１に主表示部１０２を備え、この内側面１０２と対向する外側面１０３にサブ表示部２０１を備え、前記第２の筐体２００は、折りたたんだ状態で隠蔽される内側面２０２にテンキーと機能キーとから構成される操作部２０５を備え、この内側面２０２と対向する外側面２０６にカメラ部１０４を備えてもよい。この実施の形態では、第１の筐体１００の薄型化が図れる。また、図６に示す第２の状態保持姿勢から第１の筐体１００を開いて第１の状態での横姿勢での撮影も可能である。この撮影姿勢であれば、大きな主表示部１０２を使って撮影することもできる。この場合、主表示部１０２を９０度回転させる必要がない。
【００４１】
【発明の効果】
本発明によれば、撮影姿勢が取りやすく、かつ収納性も良好な携帯電話を提供することができる。
【図面の簡単な説明】
【図１】この発明の実施の形態に係る携帯電話の概略構造を示す外観図である。
【図２】この発明の実施の形態に係る携帯電話の装置ブロック図である。
【図３】この発明の実施の形態に係る携帯電話の第１の筐体を開いた状態の断面図である。
【図４】この発明の実施の形態に係る携帯電話の第１の筐体を折りたたんだ状態の外図である。
【図５】この発明の実施の形態に係る携帯電話の第１の筐体を開いた状態の外観図である。
【図６】この発明の実施の形態に係る携帯電話の撮影時の使用状態図である。
【符号の説明】
１…携帯電話、１０…制御部、１５…バッテリー１５、２０…外部接続部、２１…内部切替スイッチ、１００…第１の筐体、１０１…内側面、１０２…主表示部、１０３…外側面、１０４…カメラ部、１０５…フラッシュ、１０６…スピーカ部、１０７…撮影スイッチ、１０８…サブスピーカ部、２００…第２の筐体、２０１…サブ表示部、２０２…内側面、２０３…テンキー、２０４…機能キー、２０５…操作部、２０６…外側面、２０７…マイク部、２０８…モード切替スイッチ、２０９…開放スイッチ、２１０…状態ランプ部、３００…連結部。
【図１】
2004112559.tif 000003
【図２】
2004112559.tif 000004
【図３】
2004112559.tif 000005
【図４】
2004112559.tif 000006
【図５】
2004112559.tif 000007
【図６】
2004112559.tif 000008